(57)【要約】【課題】利用者の状況に応じた情報の提示と、利用者への確実な情報伝達が可能な情報提供装置を提供する。【解決手段】利用者側端末102には、操作者側端末101からの指示に基づく情報が表示される情報提供装置において、前記操作者側端末は、前記操作者側端末の操作履歴と該操作に関連して表示する情報との対応を表す操作履歴・情報対応表112を格納する格納手段、を有し、前記操作者側端末が操作された際に、前記操作履歴・情報対応表を参照して表示する情報を決定し、前記利用者側端末は、前記操作者側端末において決定された情報を表示することを特徴とする。【選択図】  図１
2005071231.tif 000002
【特許請求の範囲】
【請求項１】
操作者の操作を入力する入力手段と、データを送受信する送受信手段と、情報を格納する格納手段と、情報を表示する表示手段とを有する操作者側端末と、
データを送受信する送受信手段と、情報を表示する表示手段とを有する利用者側端末と、を備え、
前記利用者側端末には、前記操作者側端末からの指示に基づく情報が表示される情報提供装置において、
前記操作者側端末は、
前記操作者側端末の操作履歴と該操作に関連して表示する情報との対応を表す操作履歴・情報対応表を格納する格納手段、を有し、
前記操作者側端末が操作された際に、前記操作履歴・情報対応表を参照して表示する情報を決定し、
前記利用者側端末は、前記操作者側端末において決定された情報を表示することを特徴とする情報提供装置。
【請求項２】
前記操作者側端末は、
前記操作履歴・情報対応表を参照して決定された情報と該情報に関する表示画面との対応を表す表示画面・情報対応表、を格納する格納手段、を有し、
前記操作者側端末が操作された際に、前記操作履歴・情報対応表を参照して表示する情報を、及び、前記表示画面・情報対応表を参照して表示画面、を決定し、
前記利用者側端末は、前記操作者側端末において決定された表示画面によって情報を表示することを特徴とする請求項１に記載の情報提供装置。
【請求項３】
前記操作者側端末の操作履歴によって利用者の姿勢を判定して、利用者側端末に表示される情報に含まれる画像情報を決定することを特徴とする請求項１又は２に記載の情報提供装置。
【請求項４】
利用者の姿勢を指示するために、利用者側端末に表示される情報に含まれる画像情報は、利用者の頭側から足側の方向に体を斜めから見下した角度で見たものであり、かつ、利用者が右を向いている場合は左側からの角度で、また利用者が左を向いている場合は右側からの角度で見たものであることを特徴とする請求項３に記載の情報提供装置。
【請求項５】
前記利用者側端末は、前記操作者側端末において決定された情報の表示が完了すると、表示が完了したことを示す表示完了通知を操作者側端末に送信し、
前記操作者側端末は、前記表示完了通知によって、利用者側端末における表示が完了したことを表示することを特徴とする請求項１又は２に記載の情報提供装置。
【請求項６】
前記操作者側端末は、前記利用者側端末に表示される情報の種類及び／又は情報の表示態様を選択する手段を有することを特徴とする請求項１又は２に記載の情報提供装置。
【請求項７】
前記利用者側端末は、新たな情報の表示を開始する際に、該情報の表示が開始されるタイミングを利用者に伝達する手段を有することを特徴とする請求項１又は２に記載の情報提供装置。
【発明の詳細な説明】
【技術分野】
【０００１】
本発明は、情報提供者（装置の操作者）が、離れた場所にいる情報の利用者（装置の利用者）に情報を提供する情報提供装置に関し、特に画像によって情報を提供するものである。
【背景技術】
【０００２】
遠隔地の聴覚障害者に対して情報を提供する技術として、音声を文字に変換して表示する技術（例えば、特許文献１参照。）や、字幕放送や文字放送による文字情報をテレビ画面に表示する技術（例えば、特許文献２参照。）、あるいは手話アニメーションを用いて情報を提供する技術（例えば、非特許文献１参照。）が提案されている。また、電話を使用する場合、手話通訳者が電話から受け取った情報を聴覚障害者に手話で伝達するという方法が採られる。あるいは、携帯電話におけるメールのように、文字による入出力が可能な端末を利用して情報伝達を行う場合もある。
【特許文献１】特開２００２−１０１２０４号公報
【特許文献２】特開２００３−０４６９６３号公報
【非特許文献１】森本一成，外７名，「聴覚障害者の胃部レントゲン検査のための手話アニメーションによる指示のわかりやすさ」，ヒューマンインタフェースシンポジウム’９９論文集，１９９９年，ｐｐ．７２５−７３０
【発明の開示】
【発明が解決しようとする課題】
【０００３】
前述した従来技術では、聴覚障害者側に送られた情報は、聴覚障害者の状況に関係なく、そのまま聴覚障害者側の端末に表示される。しかし、聴覚障害者が胃部Ｘ線検査を受けている場合、検査技師の指示をそのまま手話や文字で表示するだけでは、その指示が十分に伝わらない場合が考えられる。
【０００４】
例えば、検査技師から「少し左を向いて下さい」という指示が出された場合、その指示と共に表示されるイラストや画像は、その時の被検者の姿勢に合わせたものを表示することが望ましい。すなわち、被検者が上を向いている状態であれば、上を向いている状態から少し左を向く様子を表すイラストを表示する必要がある。また、被験者が左の真横を向いている場合は、左を向いている状態からさらに左側に体を傾ける様子を表すイラストを表示する必要がある。さらに、手話によると、表現する際の状況に合わせた具体的な表現を用いる場合が多いため、状況に応じた表現を選択する必要がある。
【０００５】
さらに、情報を表示するための利用者側の画面が複数ある場合、前述した従来技術では、どの画面にも同じ情報が表示される。しかし、前述した胃部Ｘ線検査のような場合、画面を見る位置によっても情報の内容を変えることが望ましい場合がある。例えば、画面が左右に設置されており、右を向いている状態から「左を向いて下さい」という指示が被検者に出された場合には、被検者は最初右側の画面を見ているが、姿勢を変えたときには左側の画面を見ることになる。
【０００６】
この場合、両方の画面に全く同じ情報が表示されていると、表示されている情報と自身の体勢との関係の認識が困難になる場合がある。すなわち、体勢を表すイラスト等が画面上に表示されている場合、被検者は画面上の体勢と自身の体勢とを比較して、自身の体勢が正しいかを判断する。よって、例えば、右を向いている場合は左側から見たイラストが、左を向いた時には右側から見たイラストが表示されている方が、自身とイラストの視点が同じになるため、画面上の体勢と自身の体勢との比較が容易となり、自身の姿勢が正しいかどうかを容易に判断できるようになる。
【０００７】
しかし、前述した従来技術では、このような点の解決は考慮されておらず、情報が正確に伝達されない問題があった。
【０００８】
さらに、前述した胃部Ｘ線検査の場合、指示のタイミングが重要となる場合が多いため、利用者側の端末における情報の表示が確実に完了した後、次の指示を出す必要がある。従来の技術では、このような点は考慮されていないため、利用者側における情報の表示が完了しているかどうかを確認することが困難である問題があった。
【０００９】
本発明は、利用者の状況に応じて自動的に変更された情報を、利用者に提示することによって、利用者が内容を容易に理解することが可能な情報を提示する装置を提供することを目的とする。また、操作者側の端末で利用者側の端末における表示の状態を確認し、利用者に確実な情報伝達を行うことができる装置を提供することを目的とする。
【課題を解決するための手段】
【００１０】
前述した目的を達成するために、本発明は、操作者の操作を入力する入力手段と、データを送受信する送受信手段と、情報を格納する格納手段と、情報を表示する表示手段とを有する操作者側端末と、データを送受信する送受信手段と、情報を表示する表示手段とを有する利用者側端末と、を備え、前記利用者側端末には、前記操作者側端末からの指示に基づく情報が表示される情報提供装置において、前記操作者側端末は、前記操作者側端末の操作履歴と該操作に関連して表示する情報との対応を表す操作履歴・情報対応表を格納する格納手段、を有し、前記操作者側端末が操作された際に、前記操作履歴・情報対応表を参照して表示する情報を決定し、前記利用者側端末は、前記操作者側端末において決定された情報を表示することを特徴とする。
【発明の効果】
【００１１】
本発明では、操作者が行った操作の履歴と、操作者の操作に対して表示すべき情報との関係を表す操作履歴−情報対応表を設ける。また、利用者側の端末において情報の表示に使用する画面が複数あり、それぞれの画面に状況に合わせて異なる情報を提示する必要がある場合は、画面と表示する情報との関係を表す表示画面−情報対応表も設ける。操作者が操作を行った場合、前述した対応表を参照して適切な情報を選択し、利用者側の画面に表示を行う。操作者が利用者に提示した情報の履歴から、利用者の状況（姿勢等）を推定できるため、前述した方法によって、利用者の状況に合わせた情報を選択して提示することが可能となる。
【００１２】
また、利用者側の端末における情報の表示が終了した場合、そのことを表す信号を利用者側の端末から操作者側の端末に送信する。操作者側の端末では、利用者側の端末から信号を受け取ると、利用者側の端末での表示が終了したことを画面に表示する。また、操作者側の端末では、利用者側から表示が終了したことを表す信号を受け取るまで、次の操作ができないようにする。これにより、利用者側の端末における表示が完了したことを操作者側で容易に確認することが可能となる。
【００１３】
従って、本発明によれば、操作者が利用者の状況を意識しなくても、利用者側には利用者の状況に合わせた情報を提供することができ、操作者の情報提供における負担が軽減されると共に、利用者は提供される情報の内容を容易に理解することできる。
【００１４】
また、利用者側における情報の表示が完了したことを操作者側の端末で容易に確認できるようになり、順序を考慮しなければならない情報の提供において、確実に情報を提供することができる。
【発明を実施するための最良の形態】
【００１５】
以下、本発明の実施の形態を図面を参照して説明する。
【００１６】
図１は、本発明の実施の形態の情報提供装置の構成図である。
【００１７】
本実施の形態の情報提供装置は、情報提供を行う操作者が使用する操作者側端末１０１、情報を受ける利用者が使用する利用者側端末１０２、及び、操作者側端末１０１と利用者側端末１０２を接続するネットワーク１０３とによって構成されている。
【００１８】
操作者側端末１０１には、利用者側端末１０２に表示されている情報やその他操作に必要な情報を映像として表示するためのモニタ（表示部）１０４、表示する情報を映像に変換する出力部１０５、操作者の操作が入力されるキーボード（操作部）１０６、及び、操作されたキーを数字又は記号に変換し情報処理部１０８に送る入力部１０７が設けられている。また、操作者の操作に応じて利用者側端末１０２で表示する情報の決定や、利用者側端末１０２との間でのデータの送受信等の利用者への情報提供に必要な処理を行う情報処理部１０８、及び、利用者側端末１０２とデータの送受信を行う通信部１１０が設けられている。
【００１９】
さらに、操作者側端末１０１には、処理に必要なプログラムを格納する操作者用プログラム格納部１０９、利用者に提供するための情報を格納する提供用情報格納部１１１、操作者の操作履歴と操作履歴に対して表示すべき情報との対応関係を表す情報を格納する操作履歴−情報対応表１１２、及び、各画面と表示される情報との対応関係を格納する表示画面−情報対応表１１３が設けられている。
【００２０】
利用者用端末１０２には、利用者に提供する情報を映像として表示するためのモニタ（表示部）１１４、表示する情報を映像に変換する出力部１１５、操作者側情報端末から送られてくるデータに基づいて、情報の表示や操作者用端末１０１との間のデータの送受信等の利用者への情報提供に必要な処理を行う情報処理部１１６、処理に必要なプログラムを格納する利用者用プログラム格納部１１７、及び、操作者用端末１０１とデータの送受信を行う通信部１１８が設けられている。
【００２１】
図２は、提供用情報格納部１１１に格納される情報のフォーマット図である。
【００２２】
提供用情報格納部１１１には、情報名２０１及び利用者に提供する情報を表す情報データ２０２が格納されている。情報名２０１は、他の情報と区別が可能であれば任意の文字列や数値を使用することができる。情報データ２０２には、動画や静止画、文字列等を格納することができ、格納されるデータの形式は、一般に利用されている動画や静止画、文字列等をそのまま利用することができる。
【００２３】
図３は、操作履歴−情報対応表１１２に格納される対応表のフォーマット図である。
【００２４】
操作履歴−情報対応表１１２には、対応表に登録されている対応の数（登録数）３０１、及び、操作と情報との対応関係（３０２〜３０８、３０９〜３１５）が格納されている。
【００２５】
次に、各操作と情報との対応関係を、ボタン番号１の対応関係（３０２〜３０８）について説明する。なお、他のボタン番号においても同様の対応関係が格納されるのでその説明は省略する。
【００２６】
ボタン番号３０２は、操作者が操作したキーボード１０６のボタンを識別するための数値又は記号である。
【００２７】
履歴フラグ３０３は、ボタン番号３０２で示されるボタンが操作された場合、その操作を履歴情報として格納するかどうかを指示するための情報である。例えば、履歴情報に格納する場合は１を、格納しない場合は０を記述する。なお、履歴情報に格納するか、格納しないかを判別できれば、数値ではなく記号でもよい。
【００２８】
条件数３０４は、ボタン番号３０２で示されるボタンが操作される直前までの操作履歴に応じて表示すべき情報を選択するための選択肢がいくつ登録されているかを表す数である。登録されている選択肢は、３０５から３０８に記述される。
【００２９】
履歴情報３０５及び３０７は、ボタン操作の履歴を表す情報であり、図４において後述するように、操作されたボタンを識別するための数値又は記号の列により表される。
【００３０】
また、履歴情報３０５、３０７に対応して格納されている情報名３０６、３０８は、当該履歴情報に対応するボタン操作（及び、履歴情報の組合せ）に対して表示すべき情報の情報名である。情報名３０６及び３０８には、情報名２０１（図２参照）又は識別子５０２等（図５参照）を記述する。
【００３１】
図４は、操作履歴−情報対応表１１２に格納される履歴情報のフォーマット図である。
【００３２】
履歴情報３０５、３０７、３１２及び３１４には、履歴数４０１、ボタン番号１〜ボタン番号ｍ（４０２〜４０３）が記述されている。履歴数４０１は、履歴情報中に記述されているボタンを識別する数値又は記号の数（ボタン番号４０２〜４０３の数）であり、図示の場合は「ｍ」となる。ボタン番号４０２〜４０３は、履歴情報中として記述されたボタンを識別する数値又は記号である
なお、履歴情報の履歴数４０１が「０」の場合には、当該履歴情報がどのボタン操作の履歴にも適合することを示す。よって、ボタン操作の履歴にかかわらず表示する内容が決まっている場合には、履歴数を「０」として履歴情報を記述する。また、履歴数が「０」の履歴情報と、履歴数が「０」以外の履歴情報との双方が格納されている場合には、履歴数が「０」の履歴情報は、履歴数が「０」以外の履歴情報のうちボタン操作の履歴が一致するものがない場合にのみ使用される。
【００３３】
図５は、表示画面−情報対応表１１３に格納される対応表のフォーマット図である。
【００３４】
表示画面−情報対応表１１３には、登録数５０１、識別子及び識別子に対応する情報名の列が格納されている。
【００３５】
登録数５０１は、対応表に格納されている対応の数である。識別子５０２及び５０４は、対応表中の対応を識別するために当該対応（識別子と情報名の列との対応）に付された名称であり、他の識別子又は情報名２０１（図２参照）との区別が可能であれば、任意の文字列や数値を使用することができる。情報名の列５０３及び５０５には、各表示画面に対して表示すべき情報の情報名が列挙される。
【００３６】
図６は、表示画面−情報対応表１１３に格納される情報名の列のフォーマット図である。
【００３７】
情報名の列５０３及び５０５には、画面数６０１及び情報名１〜情報名ｎ（６０２〜６０３）が記述されている。
【００３８】
画面数６０１は、情報を表示するために用いられるの画面の数である。情報名１〜情報名ｎ（６０２〜６０３）は、それぞれの表示画面に表示すべき情報の情報名を示す。ここでは、表示画面に順序を付し、最初の表示画面の情報名から順に列挙して記述されている。例えば、ｎ個の表示画面がある場合、情報名１（６０２）は最初に表示すべき表示画面の情報名を示し、情報名ｎ（６０３）はｎ番目に表示すべき表示画面の情報名を示す。この他、情報名６０２〜６０３として、表示画面の名称に番号を付加して記述することもできる。
【００３９】
図７は、操作者側端末１０１における処理の流れを示すフローチャートである。
【００４０】
まず、操作者がキーボード１０６上のボタンを操作したか否かを判定する（ステップ７０１）。ボタンの操作が検出されなければステップ７０１に戻り、ボタン操作の検出を繰り返す。一方、ボタンの操作が検出されればステップ７０２に進む。
【００４１】
ステップ７０２では、操作されたボタンに関連して表示すべき情報を、操作履歴−情報対応表１１２から検索する。具体的には、図３に示すように記憶されているボタン番号１（３０２）〜ボタン番号ｎ（３０９）によって、操作されたボタンに関して登録されている対応関係（操作履歴と表示情報との対応）を検索する。
【００４２】
そして、検索の結果、操作されたボタンに関連する対応が検索されたか否かを判定する（ステップ７０３）。操作されたボタンに関連する対応が登録されていない場合は、ステップ７０１に戻り、ボタン操作の検出を繰り返す。一方、操作されたボタンに関連する対応が登録されいる場合は、ステップ７０４に進む。
【００４３】
ステップ７０４では、現在までのボタンの操作履歴と、ステップ７０２で検索された対応中の履歴情報（例えば、図３に示す３０５、３０７等）を比較し、一致する履歴情報を検索する。そして、ステップ７０５では、一致する履歴情報が検索されたか否かを判定する。検索の結果、一致する履歴情報が登録されている場合は、ステップ７０６に進む。一方、一致する履歴情報が登録されていない場合は、ステップ７０８に進む。
【００４４】
ステップ７０６では、現在までのボタンの操作履歴と一致した履歴情報に対して表示すべき情報を抽出する。例えば、図３に示す履歴情報１１（３０５）が検索された場合は、この履歴情報１１（３０５）に対応する情報名１１（３０６）が抽出される。そして、提供用情報格納部１１１から、抽出された情報名に対応する情報データを読み出して、利用者側端末１０２に送信する。
【００４５】
そして、利用者側端末１０２に送信した情報を確認するために、操作者側端末１０１のモニタ１０４に当該情報を表示する。そして、利用者側端末１０２から情報の表示が完了したことを知らせる表示完了通知が届くのを待つ（ステップ７０７）。そして、表示完了通知の到着を検出すると、ステップ７０８に進む。
【００４６】
なお、表示完了通知が届くまでは、操作者側端末１０１におけるボタン操作のうち、表示を停止するためのボタン操作以外の操作は受け付けないようにする。この表示を停止するためのボタンの操作を検出すると、利用者側端末１０２における表示の進行を停止するための表示停止通知を送信する。
【００４７】
また、操作者側端末１０１における情報の表示は、一回のみ表示するだけでもよいし、利用者側端末１０２からの表示完了通知が届くまでの間、繰り返し表示してもよい。さらに、利用者側端末１０２からの表示完了通知が届くまでの間、利用者側端末１０２において表示が行われている（表示の進行が完了していない）ことを示すメッセージを操作者側端末１０１に表示することもできる。
【００４８】
ステップ７０８では、ステップ７０２で検索された対応中に記述されている履歴フラグ（図３に示す３０２、３１０等）の値を読み取り、履歴フラグが「１」であれば操作されたボタンのボタン番号を操作履歴に追加し、ステップ７０１に戻る。この処理では、操作履歴に書き込む場合は履歴フラグを「１」に、操作履歴に書き込まない場合は履歴フラグを「０」に設定している。履歴フラグに設定される値がこれとは異なる場合は、それぞれの値を条件として、同様の処理を行えばよい。また、操作履歴は、図４に示す履歴情報と同様の形式で記述される。
【００４９】
図８は、利用者側端末１０２における処理の流れを示すフローチャートである。
【００５０】
まず、操作者側端末１０１から表示すべき情報が送信されるのを待ち、情報が送信されてきたら、その情報を受信する（ステップ８０１）。
【００５１】
そして、受信した情報をモニタ１１４の画面に表示する（ステップ８０２）。この情報の表示中でも、操作者側端末１０１から送信される表示停止通知を受け付けることができるようにし、表示停止通知を受信した場合には直ちに情報の表示を停止し、ステップ８０３に進む。
【００５２】
そして、情報の表示が完了又は停止すると、表示が完了したことを表す表示完了通知を操作者側端末１０１に送信し（ステップ８０３）、ステップ８０１に戻る。
【００５３】
図９に、操作者側端末１０１に表示される画面の一例を示す。
【００５４】
操作者側端末１０１の表示画面には、利用者側端末１０２に表示される情報と同じ情報が表示される情報表示画面９０１が設けられている。この情報表示画面９０１は、利用者側端末１０２に表示される情報を確認するために表示される。
【００５５】
情報表示画面９０１には、情報の内容を表現する手話アニメーション表示領域９０２、日本語又は他国言語による文字情報を表示する文字表示領域９０３、情報の内容を説明するための画像情報（イラストや動画）を表示する画像表示領域９０４が設けられている。
【００５６】
手話アニメーション表示領域９０２に表示される手話アニメーションは、例えば、特願平８−１６８２１号公報（発明の名称「手話生成装置及び方法」）に記載されている技術を用いることによって生成することができる。
【００５７】
操作者側端末１０１の表示画面には、手話アニメーションを表示するかを選択する選択領域９０５、文字情報を表示するかを選択する選択領域９０６、及び、画像情報（イラストや動画）を表示するかを選択する選択領域９０７が設けられており、利用者側端末１０２に表示する情報の種類が選択される。これらの選択領域９０５、９０６、９０７では、左側の四角形に選択操作をすると、図９に示すように、選択されたこと（すなわち、選択された情報を表示すること）を表すマークが表示される。また、もう一度選択操作をすると、マークが削除され、選択が解除されたこと（すなわちこれらの情報を表示しないこと）を表す。
【００５８】
操作者の選択による表示内容の変更は、情報データ２０２中に手話アニメーション、文字情報、画像情報（イラスト・動画）を別々に格納しておき、操作者が選択した項目のみを読み出して表示する画像を合成するようことによって実現することができる。また、可能な全ての組み合わせに対する画像を予め用意しておき、操作者の選択に応じて該当する画像を選択して表示してもよい。さらに、表示される項目の組み合わせに応じて、手話アニメーション、文字情報、画像情報（イラスト・動画）の大きさや位置は変更して表示するとよい。
【００５９】
文字表示領域の表示態様は、操作者側端末１０１の表示画面中の９０８又は９０９によって選択可能である。すなわち、文字情報を横書きで表示する場合には選択領域９０８を選択し、文字情報を縦書きで表示する場合には選択領域９０９を選択する。なお、９０８及び９０９はいずれか一方のみしか選択することができないようにする。この文字情報の表示方法の変更についても、表示項目の選択と同様に、手話アニメーション、文字情報、画像情報（イラスト・動画）からその都度合成する方法や、予め表示する画像を用意しておく方法により実現することができる。
【００６０】
また、操作者側端末１０１の表示画面には、利用者側端末１０２における情報の表示を終了する終了ボタン９１０が設けられている。操作者側端末１０１は、終了ボタンの操作を検出すると、利用者側端末１０２に対して表示停止通知を送信する。
【００６１】
図１０に、利用者側端末１０２に表示される画面の一例を示す。
【００６２】
利用者側端末１０２の表示画面には、情報の内容を表現する手話アニメーション表示領域１００１、日本語又は他国言語による文字情報を表示する文字表示領域１００２、情報の内容を説明するための画像情報（イラストや動画）を表示する画像表示領域１００３が設けられている。
【００６３】
利用者側端末１０２のモニタ１１４に表示される内容は、操作者側端末１０１における表示の種類（表示項目）の選択や、表示態様の選択によって変更される。
【００６４】
また、図８のステップ８０２によって、利用者側端末１０２に新たな情報を表示する際には（すなわち、表示画面が切り替わる際には）、利用者に画面への注意を促すために、通常の情報表示画面（図１０）と、反転した情報表示画面（図１１）を交互に表示して画面を点滅させるとよい。なお、画面の明暗を反転させる他に、特定の色を使用した画面を交互に表示してもよい。また、新たな情報の表示の開始を表す特定の映像を表示してもよい。さらに、画面上の特定の領域に、新たな情報の表示の開始を表すマークやメッセージ等を表示してもよい。さらに、新たな情報の表示の開始時に、別に設けた振動装置を振動させたり、電灯を点灯させて、利用者の注意を喚起してもよい。
【００６５】
また、利用者側端末１０２に複数のモニタ１１４が設けられている場合は、図７のステップ７０６において、複数のモニタの各々に表示する情報を表示画面−情報対応表１１３を検索し、画面毎の情報を利用者側端末１０２に送信する。利用者側端末１０２では、操作者側端末１０１から送信された画面毎の情報を、該当するモニタ１１４に表示する。
【００６６】
例えば、利用者が左側を向いている際に見る画面上には、頭の方から足の方を斜めから見下ろす方向で、且つ、右側から見たイラスト・動画（図１０の１００３）を表示する。逆に、利用者が右側を向いている際に見る画面上には、頭の方から足の方を斜めから見下ろす方向で、且つ、左側から見たイラスト・動画（図１２の１２０１）を表示する。
【００６７】
なお、前述した構成図（図１）では、利用者側端末１０２に表示する情報や操作履歴−情報対応表１１２、表示画面−情報対応表１１３は、操作者側端末１０１にのみ格納し、操作者の操作に対応した情報のみを、その都度、利用者側端末１０２に送信し、利用者側端末１０２では受信した情報のみを表示する構成について説明したが、この他に、利用者側端末１０２にも表示する情報を予め格納しておき、操作者側端末１０１から利用者側端末１０２へは表示すべき情報の情報名のみを送信し、利用者側端末１０２では受信した情報名に対応する情報を表示する構成とすることもできる。また、操作者側端末１０１から利用者側端末１０２へは、情報名と共に、操作者が選択した表示項目や表示態様に関する情報も送信してもよい。
【００６８】
また、前述した構成図（図１）では、操作者側端末１０１と利用者側端末１０２とはネットワークで結合されているが、操作者側端末１０１と利用者側端末１０２とをケーブル等によって直接接続することもできる。さらに、利用者側端末１０２を操作者側端末１０１からケーブル等によって直接接続されたモニタのみで構成することもできる。この場合、操作者側端末１０１に表示する画面と利用者側端末１０２に表示する画面は異なるため、操作者側端末１０１には、利用者側端末１０２に表示する情報を出力する出力部を備える必要がある。
【００６９】
また、操作者は、操作者側端末１０１の画面（図９）において表示項目と表示態様のみを選択できるが、さらに、手話アニメーションや文字情報、イラスト・動画が画面上に表示される位置を指定できるようにしてもよい。
【００７０】
さらに、前述した構成図（図１）では、利用者側端末１０２は情報を表示する機能のみを有するが、利用者側端末１０２にも、表示項目や表示態様を選択するための画面表示、及び操作部を設け、利用者が表示される情報の構成を変更可能とすることもできる。また、利用者側端末１０２から操作者側端末１０１に送信可能なメッセージを画面上に表示し、利用者がメッセージを選択することによって、利用者側端末１０２から操作者側端末１０１にメッセージを送るようにすることもできる。
【００７１】
以上説明した実施の形態では、操作者の操作履歴に応じて利用者の姿勢等の状況を判定し、表示する情報を選択しているが、この他、利用者側端末１０２に利用者の姿勢等の状況を検出するためのセンサを設置し、このセンサが検出した信号に基づいて表示すべき情報を選択し、表示するようにしてもよい。
【産業上の利用可能性】
【００７２】
本発明は、胃部Ｘ線検査装置のように、検査技師が隣室にいる被検者に対して画像を用いて指示をする際に使用することができる。特に、聴覚障害者が胃部Ｘ線検査を受ける場合に、画像による指示をすることができ有用である。
【図面の簡単な説明】
【００７３】
【図１】本発明の実施の形態の情報提供装置の構成図である。
【図２】提供用情報格納部１１１に格納される情報のフォーマット図である。
【図３】操作履歴−情報対応表１１２に格納される対応表のフォーマット図である。
【図４】操作履歴−情報対応表１１２に格納される履歴情報のフォーマット図である。
【図５】表示画面−情報対応表１１３に格納される対応表のフォーマット図である。
【図６】表示画面−情報対応表１１３に格納される情報名の列のフォーマット図である。
【図７】操作者側端末１０１における処理の流れを示すフローチャートである。
【図８】利用者側端末１０２における処理の流れを示すフローチャートである。
【図９】操作者側端末１０１に表示される画面の一例を示す説明図である。
【図１０】利用者側端末１０２に表示される画面の一例を示す説明図である。
【図１１】利用者側端末１０２に表示される画面の一例を示す説明図である。
【図１２】利用者側端末１０２に表示される画面の一例を示す説明図である。
【符号の説明】
【００７４】
１０１    操作者側端末
１０２    利用者側端末
１０３    ネットワーク
１０４    モニタ（表示部）
１０５    出力部
１０６    キーボード（操作部）
１０７    入力部
１０８    情報処理部
１０９    操作者用プログラム格納部
１１０    通信部
１１１    提供用情報格納部
１１２    操作履歴−情報対応表
１１３    表示画面−情報対応表
１１４    モニタ（表示部）
１１５    出力部
１１６    情報処理部
１１７    利用者用プログラム格納部
１１８    通信部
【図１】
2005071231.tif 000003
【図２】
2005071231.tif 000004
【図３】
2005071231.tif 000005
【図４】
2005071231.tif 000006
【図５】
2005071231.tif 000007
【図６】
2005071231.tif 000008
【図７】
2005071231.tif 000009
【図８】
2005071231.tif 000010
【図９】
2005071231.tif 000011
【図１０】
2005071231.tif 000012
【図１１】
2005071231.tif 000013
【図１２】
2005071231.tif 000014